(57)【特許請求の範囲】
【請求項１】
挿通される棒状ガイド部材に対して摺動可能に備えられるスライダーであって、
このスライダーが、前記棒状ガイド部材に対して摺動可能に備えられるスライダー本体と、このスライダー本体に備えられて、該スライダー本体の前記棒状ガイド部材に対する締め付けをなす締着具とを備えており、
前記スライダー本体が、環状に湾曲構成されて、前記棒状ガイド部材の挿通される弾性保持筒部と、この保持筒部の各湾曲端部から外方に突き出すように備えられる第１隆起部及び第２隆起部とよりなる円柱状嵌め合い部とを有しており、
この円柱状嵌め合い部を操作凹部内に収め入れるようにして該円柱状嵌め合い部に対して回動可能に備え付けられる前記締着具が、この締着具を、一方向に向けて回動した際に、前記第１隆起部と第２隆起部とを互いに近づく向きに押圧する押圧手段を備えていると共に、該締着具が、この締着具を、前記回動と反対の向きに回動した際に、前記第１隆起部と第２隆起部との間に押し入って、この第１隆起部と第２隆起部とを引き離す案内凸起と、前記円柱状嵌め合い部に備えられている突き出し片に掛かり合って該締着具の抜け出しを防ぐ突き出し片とを備えていることを特徴とするスライダー。
【発明の詳細な説明】
【０００１】
【発明の属する技術分野】
この発明は、棒状のガイド部材に対して摺動可能に備えつけられる各種のスライダー、例えば、摺動調節しながら用いられるハンガー手段としてのスライダーなどとして用いられるものであって、ガイド部材に対する締付け状態の解除を、より確実とし、しかも締付け解除状態における締着具の脱落を防止するようにしたスライダーの提供に関する。
【０００２】
【従来の技術】
ガイドバーに対して、スライダーを摺動自在に組付けると共に、このスライダーを任意の位置で、ガイドバーに対して締付け状態とし、このガイドバーに対して固定状態とされたスライダーを用いて、各種ハンガーの吊下げベースとすることが一般になされている。
【０００３】
【発明が解決しようとする課題】
かかるスライダーにあって、例えば、ガイドバーを跨ぐように湾曲したスライダーの各下端脚部を、この下端脚部を取り入れる締具の締付けによって締付けることで、このスライダーをガイドバーに対して緊締する手法においては、締具の締付け力を解いた際に、経時的に、締付け状態に置かれていた各下端脚部相互が、ガイドバーに対して密着した状態に維持されることが多く、この為、滑らかな摺動操作に難を生ずることがあった。
【０００４】
この発明に係るスライダーは、棒状ガイド部材に対して、その任意の摺動停止位置においてスライダーを固定状態として用い得ると共に、この固定状態で用いられているスライダーに対する締付けを解いた際に、容易、且つ、確実に、当該スライダーを棒状ガイド部材に沿って移動し得るようにしたスライダーの提供を主要な目的の一つとしている。
【０００５】
【課題を解決するための手段】
この発明は、前記の目的を達成するために、スライダーを、挿通される棒状ガイド部材Ｃに対して摺動可能に備えられるスライダーとしてあり、しかも、このスライダーが、前記棒状ガイド部材Ｃに対して摺動可能に備えられるスライダー本体Ａと、このスライダー本体Ａに備えられて、該スライダー本体Ａの前記棒状ガイド部材Ｃに対する締め付けをなす締着具Ｂとを備えた構成としてあり、前記スライダー本体Ａが、環状に湾曲構成されて、前記棒状ガイド部材Ｃの挿通される弾性保持筒部１０と、この保持筒部１０の各湾曲端部から外方に突き出すように備えられる第１隆起部２１及び第２隆起部２２とよりなる円柱状嵌め合い部２０とを有しており、さらに、この円柱状嵌め合い部２０を操作凹部３０内に収め入れるようにして該円柱状嵌め合い部２０に対して回動可能に備え付けられる前記締着具Ｂが、この締着具Ｂを、一方向に向けて回動した際に、前記第１隆起部２１と第２隆起部２２とを互いに近づく向きに押圧する押圧手段を備えていると共に、該締着具Ｂが、この締着具Ｂを、前記回動と反対の向きに回動した際に、前記第１隆起部２１と第２隆起部２２との間に押し入って、この第１隆起部２１と第２隆起部２２とを引き離す案内凸起４２と、前記円柱状嵌め合い部２０に備えられている突き出し片２３に掛かり合って該締着具Ｂの抜け出しを防ぐ突き出し片４３とを備えている構成としてある。
【０００６】
【発明の実施の形態】
以下、本発明に係る典型的なスライダーの一実施の形態について詳細に説明する。
【０００７】
図１は、この典型的な実施の形態に係るスライダーの要部々品を分離した状態を下面側から見て示し、図２は、締着具Ｂを上面から見て、図３は、スライダー本体Ａを下面から見て示している。
図４と、図５は、締着具Ｂを回動操作している状態を、図４では、締着具Ｂによる締付けを解放した状態を、図５では、この締着具Ｂによって締付けている状態を、夫々水平断面の状態で示している。
【０００８】
また、図６では、このスライダーを棒状ガイド部材Ｃの差し込み側から見て示すと共に、図７では、これを下面から見て示している。
さらに、図８では、このスライダーを、棒状ガイド部材Ｃの挿通方向で断面して示し、図９では、棒状ガイド部材Ｃの挿通方向に直交した向きの断面として示している。
【０００９】
図１０及び図１１は、このスライダーをネットの張設用のフック手段として用いている状態を、図１０では要部の断面図として、また、図１１では、要部の斜視図として示している。
【００１０】
この実施の形態に係るスライダーは、挿通される棒状ガイド部材Ｃに対して摺動可能に備えられるスライダーが、前記棒状ガイド部材Ｃに対して摺動可能に備えられるスライダー本体Ａと、このスライダー本体Ａに備えられて、該スライダー本体Ａの前記棒状ガイド部材Ｃに対する締め付けをなす締着具Ｂとを備えて構成してあり、しかも、前記スライダー本体Ａが、環状に湾曲構成されて、前記棒状ガイド部材Ｃの挿通される弾性保持筒部１０と、この保持筒部１０の各湾曲端部から外方に突き出すように備えられる第１隆起部２１及び第２隆起部２２とよりなる円柱状嵌め合い部２０とを有し、さらに、この円柱状嵌め合い部２０を操作凹部３０内に収め入れるようにして該円柱状嵌め合い部２０に対して回動可能に備え付けられる前記締着具Ｂが、この締着具Ｂを、一方向に向けて回動した際に、前記第１隆起部２１と第２隆起部２２とを互いに近づく向きに押圧する押圧手段を備えていると共に、該締着具Ｂが、この締着具Ｂを、前記回動と反対の向きに回動した際に、前記第１隆起部２１と第２隆起部２２との間に押し入って、この第１隆起部２１と第２隆起部２２とを引き離す案内凸起４２と、前記円柱状嵌め合い部２０に備えられている突き出し片２３に掛かり合って該締着具Ｂの抜け出しを防ぐ突き出し片４３とを備えている構成としてある。
【００１１】
このように構成されるスライダーにあっては、このスライダーを棒状ガイド部材Ｃの任意の位置に位置づけると共に締着具Ｂを回動して第１隆起部２１と、第２隆起部２２とを互に近づける向きに押圧することで、このスライダーを棒状ガイド部材Ｃに対して固定状態とすることができる。
【００１２】
次いで、締着具Ｂを、前記締込みと反対の側に回動することによって、第１隆起部２１と、第２隆起部２２との押しつけ方向の押圧を解いて、スライダーの棒状ガイド部材Ｃに対する固定状態での留めつけが解放できると共に、この第１隆起部２１と、第２隆起部２２とを互に引き離す向きに案内凸起４２によって押動することによって、棒状ガイド部材Ｃに対するスライダーの滑らかな摺動を可能とすることができる。
【００１３】
更に、この締着具Ｂによる第１隆起部２１及び第２隆起部２２に対する押圧を解放した際にあっても、円柱状嵌め合い部２０の突き出し片２３に対して、突き出し片４３が掛かり合う構成としてあることから、締着具Ｂがスライダー本体Ａから脱落することがない。
【００１４】
また、前記棒状ガイド部材Ｃが円形断面の棒、管材である場合においては、この棒状ガイド部材Ｃに対して、スライダーを回転自在とすることができ、また、任意の回転位置において締着具Ｂによる締付け固定と、この締付け状態にある各第１隆起部２１及び第２隆起部２２相互を案内凸起４２によって引き離し、スライダーの滑らかな回転操作を可能とすることができる。
【００１５】
先ず、この実施の形態に係るスライダーを構成するスライダー本体Ａは、主としてプラスチック成形によって提供されるプラスチック成形品などを典型例として構成されるものであって、環状に湾曲構成された保持筒部１０に対して、この保持筒部１０における一方の湾曲端部に第１隆起部２１を設け、更に、この保持筒部１０の他方の湾曲端部に第２隆起部２２を設けてあると共に、この保持筒部１０の側部、特に、第１隆起部２１の備えられている側の保持筒部１０の側部下端にフック５０を設けた構成としてある。
【００１６】
かかる保持筒部１０は、湾曲頂端から略下方に向けて垂下状態に設けられる一方側の環状側壁１０’に対して、他方側の環状側壁１０”が、湾曲頂端から、この垂下状態に設けられている環状側壁１０’に至るように湾曲底部１０ａを備えた半円弧以上の環状側壁１０”として構成してある。
【００１７】
かかる保持筒部１０の底部として構成される環状側壁１０”における湾曲底部１０ａに第１隆起部２１が設けてあり、また、垂下状態の環状側壁１０’における延設状態の垂下突片として第２隆起部２２が設けてある。
【００１８】
かかる構成よりなる保持筒部１０は、環状に湾曲した各環状側壁１０’、１０”相互が所要の弾性復帰機能を備えた環状体として構成され、この保持筒部１０内に対して棒状ガイド部材Ｃを挿通、組付け得る構成としてある。
【００１９】
かかる構成よりなる保持筒部１０における湾曲底部１０ａを備えた環状側壁１０”から側方に突き出すと共に、その先端を上方に屈曲するようにしたフック５０を一体に設け、当該スライダーを各種のフック手段などとして用い得る構成としてある。
【００２０】
かかる保持筒部１０に設けられる円柱状嵌め合い部２０は、保持筒部１０の一方側の環状側壁１０’の下端に、この環状側壁１０’から垂下状態に延設される第２隆起部２２と、他方側の環状側壁１０”の湾曲底部１０ａから、下方に隆起して設けられる第１隆起部２１とによって構成してある。
【００２１】
即ち、この環状側壁１０’から突設される第２隆起部２２は、円弧の一部をなす断面、即ち、円の接線と平行な線分によって円の側端部分を区分した形状即ち、第１隆起部２１と向き合った側を平坦面２２ａとし、外側を弧状湾曲面２２ｂとした形状の断面をなす突き出し片として構成してあると共に、第１隆起部２１と組付け構成した態様で、略円形断面をなす構成としてある。
【００２２】
次いで、この第２隆起部２２と共に円柱状嵌め合い部２０を構成する第１隆起部２１は、円の一部を、その円の接線と平行な線分によってカットした態様の断面、即ち、第２隆起部２２と向き合った側を平坦面２１ａとし、外側を円弧状の湾曲面２１ｂとした一部切欠円形状の断面としてあり、円柱状嵌め合い部２０に対して嵌めつけられる操作つまみ４０の軸４１の差し込まれる軸孔２４が、当該第１隆起部２１の構成する円の中心部に設けてあると共に、前記第２隆起部２２と、当該第１隆起部２１との間の構成隙間に一方端を連通した案内溝２５を、この軸孔２４と同心状の円弧状溝として設けてある。
【００２３】
また、この円柱状嵌め合い部２０を構成する第１隆起部２１には、前記案内溝２５の開設終端側における外周に突き出し片２３を張り出し状態に設けてある。
【００２４】
この第１隆起部２１に備えられる突き出し片２３は、この第１隆起部２１と同心状の円弧状の突片として構成してあると共に、この第１隆起部２１における第２隆起部２２との対面側にある平坦面２１ａと平行な軸孔２４を通る線分ｙと、この線分ｙに直交する線分ｙ’との間に亙るように設けてある。
【００２５】
また、この突き出し片２３は、第１隆起部２１の先端縁に沿って設けてあり、この突き出し片２３と対応した第１隆起部２１の基部、特に保持筒部１０の湾曲底部１０ａに沿って、この突き出し片２３と略同形状の突き出し片２６を設け、この突き出し片２６と前記突き出し片２３との間に掛合溝２７を設けるように構成してある。
【００２６】
尚、この掛合溝２７の一方の側、即ち、線分ｙ’側にある掛合溝２７部分と、これに続く第１隆起部２１の外周壁部分に平坦状の溝部２７ａを設け、スプリングピン５１が収まり接する溝部２７ａとして構成してある。
【００２７】
また、第２隆起部２２の外周面には、弧状をなすように溝２２ｃが設けてあり、締着具Ｂを構成する操作つまみ４０を円柱状嵌め合い部２０に対して回し込んだ際に、この操作つまみ４０における突き出し片４３が収まり入る構成としてある。
【００２８】
かかる構成よりなるスライダー本体Ａに対して、締着具Ｂは、操作凹部３０を備えたキャップ状の形態、即ち、円板状の底板部４０ａと、この底板部４０ａの周側から立上る周側板部４０ｂとによって円柱状嵌め合い部２０の収まり入る操作凹部３０を備えた操作つまみ４０として構成されている。
【００２９】
この操作つまみ４０は、略半円状の第１操作凹部３１と、この半円状の第１操作凹部３１における各弧状端側で連設されている弧状の第２操作凹部３２とよりなる操作凹部３０を備えた構成としてあり、この第１操作凹部３１の構成する円の中心となるように底板部４０ａに軸４１を立設してある。
【００３０】
かかる操作つまみ４０に備えられる第１操作凹部３１は、軸４１を軸孔２４に差し入れるように円柱状嵌め合い部２０を該操作凹部３０に収め入れた際に、前記円柱状嵌め合い部２０における第１隆起部２１の突き出し片２３が、その湾曲外周面を接しながら回動される大きさの半円状の凹部として構成してあり、この第１操作凹部３１の内周側壁から突き出し片４３を突き出し状態に設けてある。この第１操作凹部３１の内周壁に突き出し状態に設けられる突き出し片４３は、円柱状嵌め合い部２０に嵌めつけられた操作つまみ４０によって、この円柱状嵌め合い部２０の締めつけをなしていない状態（図４の状態）において、前記突き出し片２３と突き出し片２６間の掛合溝２７内に収まる位置にあって、この掛合溝２７内に都合良く出入りする形状の湾曲突片として設けてあり、操作つまみ４０を、円柱状嵌め合い部２０に対して回し込んで、円柱状嵌め合い部２０を締めつけ状態（図５の状態）とした際に、この突き出し片４３の一部が円柱状嵌め合い部２０の第２隆起部２２における溝２２ｃ内に導き入れられる構成としてある。
【００３１】
尚、操作つまみ４０の周側板部４０ｂに開設される窓穴４４によって、この突き出し片４３を都合良くプラスチック成形に際して型抜きできるように構成してある。
【００３２】
かかる第１操作凹部３１に連設されている第２操作凹部３２は、前記第１操作凹部３１における各弧状端３１’、３１’間を結ぶ線分よりも短寸の線分を弧状端３２’、３２’寸法とした弧状の凹部として構成してあると共に、半円よりも、その頂端が更に側方にある細長い弧状凹部として構成してある。
【００３３】
又、この図示例にあっては、この第２操作凹部３２における弧状端３２’、３２’間を結ぶ線分の略中心に前記軸４１が備えられる構成としてあり、この結果、この軸４１に対して回動自在に組付けられた円柱状嵌め合い部２０は、この第２操作凹部３２における各弧状端３２’、３２’部間で押圧作用を受けると共に、頂端３２”側で、この押圧作用が解消されることとなる。
【００３４】
また、前記突き出し片４３の設けられている側と反対の側に、第１操作凹部３１に連続する溝３３を設けると共に、この溝３３を亙るように第１操作凹部３１と、第２操作凹部３２の各弧状端３１’、３２’間にスプリングピン５１を挿通、備えつける孔４５を備えた構成としてあり、この孔４５に備えられるスプリングピン５１と、これに向き合った第２操作凹部３２の弧状端３２’部との間で、軸４１に組付けられた円柱状嵌め合い部２０を弾持する押圧手段を構成してある。
【００３５】
また、前記第２操作凹部３２の底板部４０ａには、軸４１に対して同心状の弧状突片としての案内凸起４２が設けてあり、軸４１に組付けられた円柱状嵌め合い部２０を回動した際に、この円柱状嵌め合い部２０における案内溝２５と、第１隆起部２１及び第２隆起部２２の夫々の平坦面２１ａ、２２ａ間の隙間内とに案内される構成としてある。
【００３６】
かくして構成される操作凹部３０に対して、円柱状嵌め合い部２０の第１隆起部２１における突き出し片２３が第１操作凹部３１内に位置づけられるように、当該円柱状嵌め合い部２０を収め入れ、軸４１を軸孔２４に嵌め入れて該操作つまみ４０を円柱状嵌め合い部２０に対して回動自在の状態とし、スプリングピン５１を、操作つまみ４０の周側板部４０ｂに設けた孔４５から挿通して、このスプリングピン５１を第１操作凹部３１及び第２操作凹部３２の一方の弧状端３１’、３２’間に備えつけることによって、このスプリングピン５１と、他方の弧状端３２’部との間で円柱状嵌め合い部２０を弾発状態で保持する。
【００３７】
かかる操作凹部３０に対する円柱状嵌め合い部２０の嵌め込みにおいて、図５に示すように、第２隆起部２２を  第２操作凹部３２の弧状端３２’部に圧接し、しかも、この第２隆起部２２における溝２２ｃ内に操作つまみ４０の突き出し片４３の一部を介在せしめた状態で、第１隆起部２１の平坦面２１ａと対向した湾曲面２１ｂ、特に突き出し片２３の内方に設けられた掛合溝２７の溝部２７ａに対してスプリングピン５１が圧接される形態とし、これらを第１隆起部２１及び第２隆起部２２に対する押圧手段として構成してある。
【００３８】
また、かかる状態にあって、第１隆起部２１の突き出し片２３の側端が、第１操作凹部３１と第２操作凹部３２との間の段差面３４に当接する構成とし、操作つまみ４０の回動方向を規制するようにしてあり、また、操作つまみ４０に備えられた案内凸起４２が、第１隆起部２１の案内溝２５内に位置づけられる構成としてある。
【００３９】
次いで、円柱状嵌め合い部２０に外嵌めの状態で備えられている操作つまみ４０を回動し、図４に示すように第２隆起部２２を、第２操作凹部３２の細長い操作凹部に導き入れると共に、この操作つまみ４０における案内凸起４２を、第１隆起部２１及び第２隆起部２２の夫々の平坦面２１ａ、２２ａ間に導き入れ、これによって、第２隆起部２２を、第１隆起部２１から外方に引き離すようになし、保持筒部１０の棒状ガイド部材Ｃに対する締付けを解除する。
【００４０】
かかる状態において、操作つまみ４０の突き出し片４３は、第１隆起部２１の突き出し片２３の内方にある掛合溝２７内に位置づけられており、この操作つまみ４０の円柱状嵌め合い部２０からの脱落が防止される構成としてあると共に、この突き出し片２３が、前記段差面３４と対向する側にある段差面３４’に当接し、操作つまみ４０の円柱状嵌め合い部２０に対する回動が停止される。
また、この状態において、第１隆起部２１の互に対向位置にある湾曲面２１ｂが第２操作凹部３２の弧状端３２’部と、スプリングピン５１との間で弾発状態に保持される。
【００４１】
このようにして構成されるスライダー本体Ａの保持筒部１０内に棒状ガイド部材Ｃを挿通すると共に、前記の手法、即ち、この保持筒部１０における円柱状嵌め合い部２０に対して、締着具Ｂとしての操作つまみ４０を被嵌状態で装着して、これを、スプリングピン５１によって組付け用いる構成としてある。
【００４２】
尚、図１０及び図１１では、このスライダーを用いてネット５２の引っ掛け具５３を留めつける事例を示しており、スライダーを棒状ガイド部材Ｃに対して、その軸方向に摺動して用い、あるいは軸の周りを回転させるようにして用いることができると共に、その任意の位置で、締着具Ｂを用いて夫々固定状態に留めつけて用いることができる。
【００４３】
【発明の効果】
この発明に係るスライダーは、前記の特長ある構成、特に、挿通される棒状ガイド部材Ｃに対して摺動可能に備えられるスライダーが、前記棒状ガイド部材Ｃに対して摺動可能に備えられるスライダー本体Ａと、このスライダー本体Ａに備えられており、該スライダー本体Ａの前記棒状ガイド部材Ｃに対する締め付けをなす締着具Ｂとを備えた構成としてあり、更に、前記スライダー本体Ａが、環状に湾曲構成されて、前記棒状ガイド部材Ｃの挿通される弾性保持筒部１０と、この保持筒部１０の各湾曲端部から外方に突き出すように備えられる第１隆起部２１及び第２隆起部２２とよりなる円柱状嵌め合い部２０とを有する構成としてあり、しかも、この円柱状嵌め合い部２０を操作凹部３０内に収め入れるようにして該円柱状嵌め合い部２０に対して回動可能に備え付けられる前記締着具Ｂが、この締着具Ｂを、一方向に向けて回動した際に、前記第１隆起部２１と第２隆起部２２とを互いに近づく向きに押圧する押圧手段を備えていると共に、該締着具Ｂが、この締着具Ｂを、前記回動と反対の向きに回動した際に、前記第１隆起部２１と第２隆起部２２との間に押し入って、この第１隆起部２１と第２隆起部２２とを引き離す案内凸起４２と、前記円柱状嵌め合い部２０に備えられている突き出し片２３に掛け合って該締着具Ｂの抜け出しを防ぐ突き出し片４３とを備えている構成としてあることから、このスライダーを棒状ガイド部材Ｃの任意の位置に位置づけると共に締着具Ｂを回動して第１隆起部２１と、第２隆起部２２とを互に近づける向きに押圧することで、このスライダーを棒状ガイド部材Ｃに対して固定状態とすることができる。
【００４４】
次いで、締着具Ｂを、前記締込みと反対の側に回動することによって、第１隆起部２１と、第２隆起部２２との押しつけ方向の押圧を解いて、スライダーの棒状ガイド部材Ｃに対する固定状態での留めつけが解放できると共に、この第１隆起部２１と、第２隆起部２２とを互に引き離す向きに案内凸起４２によって押動することで、棒状ガイド部材Ｃに対するスライダーの滑らかな摺動を可能とすることができる。
【００４５】
更に、この締着具Ｂによる第１隆起部２１及び第２隆起部２２に対する押圧を解放した際にあっても、円柱状嵌め合い部２０の突き出し片２３に対して突き出し片４３が掛かり合う構成としてあることから、締着具Ｂがスライダー本体Ａから脱落することがない。
【００４６】
また、前記棒状ガイド部材Ｃが円形断面の棒、管材である場合においては、この棒状ガイド部材Ｃに対して、スライダーを回転自在とすることができ、また、任意の回転位置において締着具Ｂによる締付け固定と、この締付け状態にある各第１隆起部２１及び第２隆起部２２相互を案内凸起４２によって引き離し、スライダーの滑らかな回転操作を可能とすることができる。
【図面の簡単な説明】
【図１】典型的な一実施の形態に係るスライダーの部品分離斜視図
【図２】同締着具の平面図
【図３】同スライダー本体の底面図
【図４】同スライダーの締付けを解放した状態の平断面図
【図５】同スライダーを締付けた状態の平断面図
【図６】同スライダーの棒状ガイド部材Ｃに対する取付け側から見た側面図
【図７】同底面図
【図８】図６のＳ−Ｓ矢視断面図
【図９】図７のＴ−Ｔ矢視断面図
【図１０】使用状態を示す要部断面図
【図１１】使用状態を示す要部斜視図
【符号の説明】
Ａ  スライダー本体
Ｂ  締着具
Ｃ  棒状ガイド部材
１０  保持筒部
２０  円柱状嵌め合い部
２１  第１隆起部
２２  第２隆起部
２３  突き出し片
３０  操作凹部
３１  第１操作凹部
３２  第２操作凹部
４０  操作つまみ
４１  軸
４２  案内凸起
４３  突き出し片
【図１】
0003819513.tif 000002
【図２】
0003819513.tif 000003
【図３】
0003819513.tif 000004
【図４】
0003819513.tif 000005
【図５】
0003819513.tif 000006
【図６】
0003819513.tif 000007
【図７】
0003819513.tif 000008
【図８】
0003819513.tif 000009
【図９】
0003819513.tif 000010
【図１０】
0003819513.tif 000011
【図１１】
0003819513.tif 000012